(57)【要約】【課題】組み付け作業を煩雑にすることなく、かつ、モータの垂直度を確保し、確実に固定することができるモータ取付構造およびそれを用いた送風機を提供する。【解決手段】モータ（２０）の外周部（２２ａ）と取付部材（３０）側の圧入部（５２ａ）とが圧接することでモータ（２０）と取付部材（３０）とがモータ（２０）の径方向において圧接嵌合する圧接嵌合手段（２２ａ，５２ａ）と、モータ（２０）の組み付け方向側端部（２２ｂ）と取付部材（３０）側の当接部（５１）とが当接することでモータ（２０）の取付部材（３０）への組み付け方向への位置を規制する当接手段（２２ｂ，５１）と、モータ（２０）を組み付け方向において取付部材（３０）に掛け止め保持する掛止保持手段（２４，５４）とを設ける。【選択図】図２
2008278600.tif 000002
【特許請求の範囲】
【請求項１】
筒状のモータ（２０）と、当該モータ（２０）が固定される取付部材（３０）とを備えるモータの取付構造において、
前記モータ（２０）の外周部（２２ａ）と前記取付部材（３０）側に形成された圧入部（５２ａ）とが圧接することで、前記モータ（２０）と前記取付部材（３０）とが前記モータ（２０）の径方向において圧接嵌合する圧接嵌合手段（２２ａ，５２ａ）と、
前記モータ（２０）の組み付け方向側端部（２２ｂ）と前記取付部材（３０）側に形成された当接部（５１）とが当接することで、前記モータ（２０）の前記取付部材（３０）への組み付け方向への位置を規制する当接手段（２２ｂ，５１）と、
前記モータ（２０）を前記組み付け方向において前記取付部材（３０）に掛け止め保持する掛止保持手段（２４，５４）と
を備えたことを特徴とするモータ取付構造。
【請求項２】
前記圧入部（５２ａ）は、前記モータ（２０）の組み付け方向に中心軸を有して筒状に形成された筒状部（４２）の内周面（４２ａ）に設けられていることを特徴とする請求項１に記載のモータ取付構造。
【請求項３】
前記内周面（４２ａ）には、前記圧入部（５２ａ）として、前記内周面（４２ａ）において周方向に関して略等間隔に離れた少なくとも３つ以上のリブ（５２）が凸設されていることを特徴とする請求項２に記載のモータ取付構造。
【請求項４】
前記当接部（５１）は、前記圧入部（５２ａ）から内側に延設された内フランジ部（５１）で構成されていることを特徴とする請求項１〜請求項３のうちいずれか一項に記載のモータ取付構造。
【請求項５】
前記掛止保持手段（２４，５４）は、前記モータ（２０）側および前記取付部材（３０）側のいずれか一方に設けられた被掛止部（２４）と、他方に設けられた掛止部（５４）とからなり、当該掛止部（５４）は、前記取付部材（３０）内で前記モータ（２０）を前記組み付け方向へ移動させて前記モータ（２０）の組み付け方向側端部（２２ｂ）と前記取付部材（３０）側に形成された当接部（５１）とが当接した場合に、前記被掛止部（２４）に対して掛け止めされるように構成されたことを特徴とする請求項１〜請求項４のうちいずれか一項に記載のモータ取付構造。
【請求項６】
前記掛止部（５４）は、前記モータ（２０）の径方向に弾性変形可能な軸部（５５）と、当該軸部（５５）に連結され前記モータ（２０）の径方向へ突出して形成される係止部（５６）とを有して構成され、前記被掛止部（２４）は、前記係止部（５６）が係止する凹部（２４）として構成されていることを特徴とする請求項５に記載のモータ取付構造。
【請求項７】
前記軸部（５５）は、前記係止部（５６）に連結するＵ字形状の連結部（５５ａ）を有することを特徴とする請求項６に記載のモータ取付構造。
【請求項８】
前記取付部材（３０）には、前記圧入部（５２ａ）が前記モータ（２０）の径方向外側へ撓むことを抑制する厚肉部（５３）が形成されていることを特徴とする請求項１〜請求項７のうちいずれか一項に記載のモータ取付構造。
【請求項９】
前記モータ（２０）は偏平形状をなすモータであることを特徴とする請求項１〜請求項８のうちいずれか一項に記載のモータ取付構造。
【請求項１０】
送風用のファン（１０）と、
当該ファン（１０）を駆動するモータ（２０）と、
当該モータ（２０）が固定される取付部材（３０）と
を有し、請求項１〜請求項９のうちいずれか一項に記載のモータ取付構造によって前記モータ（２０）が前記取付部材（３０）に取り付けられていることを特徴とする送風機。
【請求項１１】
前記取付部材（３０）は、前記モータ（２０）と前記ファン（１０）を収容するスクロールケーシングであって、前記ファン（１０）は遠心式ファンであることを特徴とする請求項１０に記載の送風機。
【発明の詳細な説明】
【技術分野】
【０００１】
本発明は、例えば空調装置等における送風機のモータを取付部材（ケーシング等）に取り付けるためのモータ取付構造およびそれを用いた送風機に関する。
【背景技術】
【０００２】
空調装置等に設けられる送風機は、ファンと、ファンを駆動するための細長筒状モータと、モータおよびファンを収容するケーシングとを備えて構成されている。こうした送風機において、モータはねじによってケーシングに固定される（例えば、特許文献１参照）。
【特許文献１】特開２００４−２７８９９５号公報
【発明の開示】
【発明が解決しようとする課題】
【０００３】
さらに、上記のような送風機においては、一般的に、モータのハウジング部の筒状外周部を、この外周部の径より僅かに小さく形成されたケーシングの筒状の開口部に圧入し、さらにケーシングの外側から複数のねじによってねじ締めすることで固定する組み付け方法も採用されている。
【０００４】
しかしながら、偏平形状モータでは、ケーシングへの圧入長さを十分にとることができず、ケーシングとの圧接嵌合力が不十分となり、十分な保持力が得られず、また、モータの組み付け精度（垂直度）も悪くなるという問題が生じていた。
【０００５】
さらに、一般的に用いられるねじによる締め付けを要するため、モータの組み付けに工数がかかり、作業が煩雑になるという問題も生じていた。
【０００６】
本発明の目的は、上記問題に鑑み、組み付け作業を煩雑にすることなく、かつ、モータの垂直度を確保し、確実に固定することができるモータ取付構造およびそれを用いた送風機を提供することにある。
【課題を解決するための手段】
【０００７】
本発明は上記目的を達成するために、以下の技術的手段を採用する。
【０００８】
請求項１に記載の発明では、筒状のモータ（２０）と、モータ（２０）が固定される取付部材（３０）とを備えるモータの取付構造において、モータ（２０）の外周部（２２ａ）と取付部材（３０）側に形成された圧入部（５２ａ）とが圧接することで、モータ（２０）と取付部材（３０）とがモータ（２０）の径方向において圧接嵌合する圧接嵌合手段（２２ａ，５２ａ）と、モータ（２０）の組み付け方向側端部（２２ｂ）と取付部材（３０）側に形成された当接部（５１）とが当接することで、モータ（２０）の取付部材（３０）への組み付け方向への位置を規制する当接手段（２２ｂ，５１）と、モータ（２０）を組み付け方向において取付部材（３０）に掛け止め保持する掛止保持手段（２４，５４）とを備えたことを特徴とする。
【０００９】
これによれば、圧接嵌合手段（２２ａ，５２ａ）によってモータの径方向における固定がなされ、掛止保持手段（２４，５４）によってモータの組み付け方向における固定がなされる。よって、モータ（２０）を取付部材（３０）に確実に保持固定して、モータ（２０）の抜け落ちを防止することができる。さらに、当接手段（２２ｂ，５１）によってモータ（２０）の垂直度を確保することができる。また、ねじによる締結も必要ないため、モータ（２０）の取り付け作業を簡単に行うことができる。
【００１０】
請求項２に記載の発明では、圧入部（５２ａ）は、モータ（２０）の組み付け方向に中心軸を有して筒状に形成された筒状部（４２）の内周面（４２ａ）に設けられていることを特徴とする。
【００１１】
これによれば、モータ（２０）の外周部（２２ａ）を、モータ（２０）の組み付け方向に中心軸を有して筒状に形成された筒状部（４２）の内周面（４２ａ）に設けられた圧入部（５２ａ）に対して当接（圧接）させていくことができるため、容易に圧入組み付けすることができる。
【００１２】
請求項３に記載の発明では、内周面（４２ａ）には、圧入部（５２ａ）として、前記内周面（４２ａ）において周方向に関して略等間隔に離れた少なくとも３つ以上のリブ（５２）が凸設されていることを特徴とする。
【００１３】
圧入組み付けにおいて、取付部材（３０）側の圧入部（モータの外周部と圧接している部分）の径は、モータ（２０）の外周部（２２ａ）の径より僅かに小さく設定されている。そして、モータ（２０）と取付部材（３０）との圧接嵌合力は、圧入部（５２ａ）からモータの径方向内側へ作用する反力である。本構成では、取付部材（３０）の筒状部（４２）の内周面（４２ａ）に形成されたリブ（５２）の先端と、モータ（２０）の外周部（２２ａ）とが圧接することになる。よって、取付部材（３０）に対するモータ（２０）の圧入力を抑えることができる。その際、リブ（５２）が形成されていることにより、圧入部（５２ａ）における径方向外側への撓みが抑制されるため、圧接嵌合力を十分に確保することができる。それとともに、周方向に略等間隔に設けられた３つ以上のリブ（５２）により圧接させるため、モータ（２０）の中心位置出しを行うことができる。
【００１４】
請求項４に記載の発明では、当接部（５１）は、圧入部（５２ａ）から内側に延設された内フランジ部（５１）で構成されていることを特徴とする。
【００１５】
これによれば、当接部（５１）を容易に構成することができる。
【００１６】
請求項５に記載の発明では、掛止保持手段（２４，５４）は、モータ（２０）側および取付部材（３０）側のいずれか一方に設けられた被掛止部（２４）と、他方に設けられた掛止部（５４）とからなり、掛止部（５４）は、取付部材（３０）内でモータ（２０）を組み付け方向へ移動させてモータ（２０）の組み付け方向側端部（２２ｂ）と取付部材（３０）側に形成された当接部（５１）とが当接した場合に、被掛止部（２４）に対して掛け止めされるように構成されたことを特徴とする。
【００１７】
これによれば、モータ（２０）の組み付け作業において、モータ（２０）を取付部材（３０）に対して容易に掛け止め保持することができる。
【００１８】
請求項６に記載の発明では、掛止部（５４）は、モータ（２０）の径方向に弾性変形可能な軸部（５５）と、軸部（５５）に連結されモータ（２０）の径方向へ突出して形成される係止部（５６）とを有して構成され、被掛止部（２４）は、係止部（５６）が係止する凹部（２４）として構成されていることを特徴とする。
【００１９】
これによれば、モータ（２０）を取付部材（３０）へ組み付ける際に、まず掛止部（５４）の軸部（５５）が径方向内側もしくは外側へ弾性変形したのち、係止部（５６）を被掛止部の凹部（２４）に係止させることができるので、作業性に優れた掛止保持手段（２４，５４）とすることができる。
【００２０】
請求項７に記載の発明では、軸部（５５）は、係止部（５６）に連結するＵ字形状の連結部（５５ａ）を有することを特徴とする。
【００２１】
これによれば、モータ（２０）に反組み付け方向側への力が生じた際に、Ｕ字形状の連結部（５５ａ）が、係止部（５６）および軸部（５５）が径方向へ撓むことを抑制するように作用するため、掛止保持手段（２４，５４）によるモータ（２０）の抜け止め効果をさらに確実にすることができる。
【００２２】
請求項８に記載の発明では、取付部材（３０）には、圧入部（５２ａ）がモータ（２０）の径方向外側へ撓むことを抑制する厚肉部（５３）が形成されていることを特徴とする。
【００２３】
モータ（２０）を組み付ける際には、圧入部（５２ａ）が径方向外側へ弾性変形して撓むことになるが、厚肉部（５３）が撓みを抑制する補強部として作用するため、モータ（２０）の圧接嵌合力をさらに強化することができる。
【００２４】
請求項９に記載の発明では、モータ（２０）は偏平形状をなすモータであることを特徴とする。
【００２５】
これによれば、偏平形状のため、圧入部（５２ａ）への組み付け方向長さが十分に確保できないモータ（２０）において、モータ（２０）を確実に取付部材（３０）に組み付け固定することができる。
【００２６】
請求項１０に記載の発明では、送風用のファン（１０）と、ファン（１０）を駆動するモータ（２０）と、モータ（２０）が固定される取付部材（３０）とを有し、請求項１〜請求項９のうちいずれか一項に記載のモータ取付構造によってモータ（２０）が取付部材（３０）に取り付けられていることを特徴とする。
【００２７】
これによれば、モータ（２０）が取付部材（３０）に確実に固定されて、かつモータ（２０）の取り付け作業が容易な送風機とすることができる。
【００２８】
請求項１１に記載の発明では、取付部材（３０）は、モータ（２０）とファン（１０）を収容するスクロールケーシングであって、ファン（１０）は遠心式ファンであることを特徴とする。
【００２９】
これによれば、遠心式送風機において、スクロールケーシング（３０）に対してモータ（２０）を確実に固定することができる。
【発明を実施するための最良の形態】
【００３０】
（第１実施形態）
本発明のモータ取付構造２を、遠心式送風機１（例えば、ハイブリッド車両の走行用電池の冷却用送風機）に具体化した一実施形態について説明する。図１は、送風機の全体を示す斜視図であって、図２は、図１におけるＡ−Ａ部を示す断面図である。図２において、紙面の上から下への方向がモータの組み付け方向である。なお、図２におけるファン１０は、便宜上、紙面向かって右側のみ断面図で示してある。
【００３１】
図１、図２に示すように、遠心式送風機１は、空気を送る遠心式ファン１０と、遠心式ファン１０に結合し遠心式ファン１０を回転駆動させるモータ２０と、遠心式ファン１０およびモータ２０を内部に収容しモータ２０を固定する渦巻き形状のスクロールケーシング３０（取付部材）とを備えて構成されている。
【００３２】
遠心式ファン１０は、周方向に沿って並ぶ多数の翼１１と、モータ２０の回転軸２３部分を嵌合させるボス部１２とを備えている。モータ２０は、ブラシレスモータであって、それぞれ偏平筒形状をなすモータ部２１とハウジング部２２とを備えており、遠心式ファン１０に嵌合する回転軸２３がモータ部２１から遠心式ファン１０側に延設されている。
【００３３】
スクロールケーシング３０は、偏平であって有底中空の渦巻き状の上ケーシング３１と下ケーシング３２とから構成され、各ケーシング３１，３２が上下で組み付けされることで内部に送風路３５が形成されるようになっている。上ケーシング３１には、外部からの空気をケーシング内に流入させるための流入口３３が開口形成されており、上方からスクロールケーシング３０内に流入した空気は、遠心式ファン１０によって径方向および周方向に整流されてスクロールケーシング３０の側方の流出口３４から流出するようになっている。また、下ケーシング３２には、モータ２０のハウジング部２２の外周面２２ａが圧接嵌合されるようになっている。以下、下ケーシング３２について詳細に説明する。
【００３４】
図３は、下ケーシング３２を斜め上方から見た斜視図である。図３に示すように、下ケーシング３２は、大径部４１と、大径部４１の底部４１ａからモータ２０の組み付け方向に突出形成された小径部４２（筒状部）とを備えている。なお、小径部４２は、その上端が大径部４１の内部において大径部４１の底部４１ａよりも上方となる位置まで延設されている。
【００３５】
小径部４２の内周面４２ａの下端からは、底部４１ａよりも下側となるように内フランジ部５１が水平に形成されており、この内フランジ部５１の内側は、略円形状の開口部として形成されている。さらに、小径部４２の内周面４２ａには、下端位置が、略内フランジ部５１の形成位置とされた複数（本実施形態では６つ）の細長形状の圧入リブ５２が、周方向において略等間隔に形成されている。
【００３６】
圧入リブ５２は、軸方向、すなわち組み付け方向に細長に延びており、組み付け方向に直交する断面は半円形状となっている。そして、圧入リブ５２の半円形状の頂点側が小径部４２の中心側に突出するように形成されている。よって、小径部４２の内周面４２ａは、円形状の周面に圧入リブ５２の凸形状を含む凹凸面として形成されている。
【００３７】
そして、小径部４２の内径（６つの圧入リブ５２の頂点を結んでできる径）は、モータ２０のハウジング部２２の外径よりも僅かに小さく設定されている。よって、モータ組み付け時には、各圧入リブ５２が押圧されて、圧入リブ５２の頂点部５２ａ（圧入部）とモータ２０のハウジング部２２の外周面２２ａとが圧接嵌合するようになっている。このように、本実施形態では、圧入リブ５２の頂点部５２ａが、モータ２０のハウジング部２２に対する圧入部を構成している。
【００３８】
また、小径部４２の内周面４２ａには、下端位置が、略内フランジ部５１の形成位置とされた補強リブ５３（厚肉部）が、略等間隔で多数形成されている。この補強リブ５３は、圧入リブ５２と同様に組み付け方向に細長に延びているが、組み付け方向に直交する断面形状は略扇形状をなし圧入リブ５２より小さく設定されている。
【００３９】
さらに、小径部４２の内周面４２ａには、後述するモータ２０側の凹部２４に掛け止めされる複数（本実施形態では３つ）の掛止爪５４（掛止部）が、周方向において略等間隔に形成されている。掛止爪５４は、上方に延びて形成され、モータ２０が組み付けられる際に径方向外側へ弾性変形する軸部５５と、モータ２０側の凹部２４に係止する係止部５６とで構成されている。軸部５５は、係止部５６に連結され上方に屈曲したＵ字形状をなす連結部５５ａを有している。また、係止部５６は、中心へ向けて下側へ傾斜したテーパ状に形成されている。
【００４０】
なお、モータ２０のハウジング部２２の外周面２２ａには、掛止爪５４の係止部５６を係止するための凹部２４（被掛止部）が、モータ２０の組み付け時に下ケーシング３２の各掛止爪５４と対応する位置に凹設されている。凹部２４は、円柱状のハウジング部２２の上側角部から軸方向に延びている。凹部２４は、ハウジング部２２の下側端部に到達することなく終端している。凹部２４は、ハウジング部２２の径方向に関して掛止爪５４を受け入れるための深さを有している。凹部２４は、掛止爪５４を受け入れることができる程度の周方向幅を有している。凹部２４の幅は、掛止爪５４を受け入れた状態では周方向に関してハウジング部２２の回転移動を規制する程度に設定されている。ここで、ハウジング部２２の下面２２ｂから凹部２４の形成位置までの組み付け方向厚さ寸法Ｌは、下ケーシング３２において内フランジ部５１から係止部５６の下面５６ａまでの高さＨより僅かに小さく設定されている。
【００４１】
なお、本実施形態において、モータ２０のハウジング部２２の外周面２２ａと、下ケーシング３２の小径部４２の圧入リブ５２の頂点部５２ａとで圧接嵌合手段が構成されている。また、モータ２０のハウジング部２２の組み付け方向側端部２２ｂと、下ケーシング３２の内フランジ部５１とで当接手段が構成されている。さらに、モータ２０の凹部２４と、下ケーシング３２の掛止爪５４とで掛止保持手段が構成されている。
【００４２】
次に、上記のように構成されたモータ２０の取付構造の作用について、特に、モータ２０のハウジング部２２を下ケーシング３２に取り付ける際の取付手順に着目して説明する。
【００４３】
まず、モータ２０のハウジング部２２を、図２における上方から下ケーシング３２の小径部４２に対して挿入する。すると、モータ２０のハウジング部２２が下ケーシング３２の小径部４２を径方向外側へ押し広げるように作用する。これは、圧入リブ５２の頂点を結んで形成される小径部４２の内径がモータ２０のハウジング部２２の外径よりも僅かに小さく設定されているためである。このとき、圧入リブ５２の頂点部５２ａとハウジング部２２の外周面２２ａとが圧接することになるため、モータ２０の下ケーシング３２への圧入力が抑えられて、円滑に圧入作業を行うことができる。この圧入に伴い、モータ２０のハウジング部２２は、径方向外側へ撓んだ小径部４２が径方向内側へ弾性復帰しようとする力（圧接嵌合力）を受ける。
【００４４】
このとき、小径部４２には、圧入リブ５２に加えて、複数の補強リブ５３が形成されているため、下ケーシング３２の径方向外側への撓みが抑制され、より大きな圧接嵌合力でモータ２０が保持されるようになっている。モータ２０は、ハウジング部２２の組み付け方向側端部２２ｂ（端面）が、小径部４２の内フランジ部５１の上面５１ａに当接したところで位置決めされる。そして、モータ２０は、内フランジ部５１の上面５１ａに付き当たることでその垂直度が確保されるようになっている。
【００４５】
上記作動の際に、掛止爪５４においては、次のように作用する。モータ２０の挿入の際、ハウジング部２２の外周面２２ａが掛止爪５４の係止部５６に当接していくことで、掛止爪５４の軸部５５（主に、連結部５５ａ）が径方向外側へ弾性変形する。係止部５６は、中心へ向けて下側へ傾斜したテーパ状に形成されているため、テーパ形状のガイド作用により、ハウジング部２２を円滑に下方へ導いてやることができる。
【００４６】
そして、ハウジング部２２の組み付け方向側端部２２ｂ（端面）が小径部４２の内フランジ部５１の上面５１ａに当接する位置までモータ２０が挿入されると、掛止爪５４は径方向外側への弾性変形から元の形状に復帰し、係止部５６がハウジング部２２の凹部２４に嵌まり込んで係止する。掛止爪５４と凹部２４の掛け止めにより、組み付け方向において、モータ２０が下ケーシング３２に掛け止め保持される。
【００４７】
すなわち、モータ２０は、ハウジング部２２の外周面２２ａと圧入リブ５２との圧接によって径方向において下ケーシング３２に圧接嵌合され、かつ、ハウジング部２２の組み付け方向側端部２２ｂ（端面）が内フランジ部５１の上面５１ａに当接することで垂直度が確保される。さらに、圧入リブ５２が周方向に関して略等間隔に３つ以上（本実施形態では６つ）設けられていることで、３点支持作用により、モータ２０とケーシング３０の中心が中心軸線ａにおいて一致するようになっている。また、掛止爪５４が凹部２４に係止することによりモータ２０の抜け落ちが防止されるようになっている。モータ２０の底面は、内フランジ部５１の内側に設けられた開口から下側に露出して位置づけられる。
【００４８】
したがって、本実施形態によれば、偏平形状をなすモータ２０であっても、確実にスクロールケーシング３０に対して固定することができ、抜け落ちを防止できるとともに、垂直度を確保することができる。また、ねじによる締結も必要ないため、モータ２０の取り付け作業を簡単に行うことができる。
【００４９】
（その他の実施形態）
上記実施形態では、下ケーシング３２の小径部４２を筒状部として形成したが、必ずしも３６０度の周面を有して構成する必要はない。モータ２０のハウジング部２２の外周面２２ａの少なくとも一部と圧接する面として構成してもよい。
【００５０】
上記実施形態において、下ケーシング３２の内フランジ部５１は、必ずしも３６０度の当接面を有して構成する必要はない。モータ２０のハウジング部２２の端部２２ｂの少なくとも一部が当接する面として構成してもよい。
【００５１】
上記実施形態では、モータ２０側に被掛止部としての凹部２４を設け、下ケーシング３２側に掛止部としての掛止爪５４を設けたが、モータ２０側に掛止爪５４を設け、下ケーシング３２側に凹部２４を設ける構成としてもよい。この場合であっても、上記と同様の効果を奏することができる。
【００５２】
上記実施形態における掛止爪５４は、例えば、図４に示すように、Ｕ字形状でなく直線形状の連結部５５ａとしてもよい。組み付け時に弾性変形したのち、凹部２４に嵌まり込んで係止する形態であれば、軸部５５を有さず係止部５６のみを有する形態、その他種々の形態が可能である。
【００５３】
上記実施形態において、圧入リブ５２は、中心位置精度の点から３つ（もしくは６つ）設けることがより好適ではあるが、２つもしくは４つ以上の複数設ける形態としてもよい。また、圧入リブ５２を設けなくても良い。この場合、内周面４２ａの全周面（内フランジ５１より上部であって、モータ２０の組み付け方向に延びる周面）がモータ２０のハウジング部２２の外周面２２ａに対する圧入部となる。
【００５４】
上記実施形態における補強リブ５３は、小径部４２の内周面４２ａに設けたが、小径部４２の径方向外側への撓みを抑制する厚肉部として作用すれば良く、例えば、小径部４２の外周面に設けても良い。
【００５５】
上記実施形態において、モータ２０はブラシレスモータであるとしたが、その他のブラシを有するモータでもよく、ブラシレスモータに限定されるものではない。
【００５６】
上記実施形態では、遠心式送風機１に本発明を具体化したが、図５に示すような軸流送風機３として構成してもよい。また、貫流式送風機等において、本発明のモータ取付構造２を採用してもよい。さらに、走行用電池冷却用の他、ラジエタ冷却用、コンデンサ冷却用、家庭用エアコン用等の種々の用途における送風機に本発明を具体化することができる。
【図面の簡単な説明】
【００５７】
【図１】本発明の一実施形態の送風機の全体を示す斜視図である。
【図２】図１におけるＡ−Ａ部を示す断面図である。
【図３】下ケーシングを斜め上方から見た斜視図である。
【図４】その他の実施形態の掛止爪を示す図である。
【図５】その他の実施形態の軸流送風機を示す断面図である。
【符号の説明】
【００５８】
１  送風機
２  モータ取付構造
１０  ファン
２０  モータ
２４  凹部（被掛止部、掛止保持手段）
２２ａ  ハウジング部の外周面（外周部、圧接嵌合手段）
２２ｂ  ハウジング部の組み付け方向側端部（当接手段）
３０  スクロールケーシング（取付部材）
４２  小径部（筒状部）
４２ａ  内周面
５１  内フランジ部（当接部、当接手段）
５２  圧入リブ（リブ）
５２ａ  頂点部（圧入部、圧接嵌合手段）
５３  補強リブ（厚肉部）
５４  掛止爪（掛止部、掛止保持手段）
５５  軸部
５５ａ  連結部
５６  係止部
【図１】
2008278600.tif 000003
【図２】
2008278600.tif 000004
【図３】
2008278600.tif 000005
【図４】
2008278600.tif 000006
【図５】
2008278600.tif 000007